(57)【要約】      （修正有）【課題】頬、顎、喉、頸部などを含む顔の皮膚で一度に２個のローラを転動させることにより、美顔マッサージ作用やリンパの流れを促進するリンパマッサージ作用およびマイナスイオンによる健康増進作用を期待することのできる美顔用ローラマッサージ器具を提供する。【解決手段】細長い把持柄４と、この把持柄４の先端部に配設した左右一対の分岐軸部を有する略Ｙ字形の頭部５とを備え、岐軸部にローラ２，３を回転自在に取付ける。ローラ２，３は、ホルミシスイオンを放射する希土類元素を練り込んで成形された柔軟性を有するシリコン樹脂からなる。分岐軸部の開き角度を１２０〜１４５度に設定する。【選択図】図１
0003164829.tif 000002
【実用新案登録請求の範囲】
【請求項１】
頬、顎、喉、頸部などを含む顔の皮膚で転動するローラと、このローラが回転自在に取り付けられた杆体と、を備えた美顔用ローラマッサージ器具であって、
前記杆体が、細長い把持柄と、この把持柄の先端部に配設した左右一対の分岐軸部を有する略Ｙ字形の頭部とを備え、前記左右一対の分岐軸部のそれぞれに前記ローラが装備されていることを特徴とする美顔用ローラマッサージ器具。
【請求項２】
請求項１に記載した美顔用ローラマッサージ器具において、
前記ローラが、ホルミシスイオンを放射する希土類元素を練り込んで成形された柔軟性を有するシリコン樹脂でなる美顔用ローラマッサージ器具。
【請求項３】
請求項１または請求項２に記載した美顔用ローラマッサージ器具において、
前記ローラそれぞれがベアリングを介して軸線方向にがたつかない状態で分岐軸部に回転自在に支持されていると共に、前記ローラそれぞれの軸線方向外端部に前記左右一対の分岐軸部の先端を隠蔽する化粧キャップが装着されてなる美顔用ローラマッサージ器具。
【請求項４】
請求項１乃至請求項３のいずれか１項に記載した美顔用ローラマッサージ器具において、
略Ｙ字形の頭部は、前記左右一対の分岐軸部を先端部で収束した基部を備え、この基部の後端径小部が前記把持柄の先端部に分離可能に連結されてなる美顔用ローラマッサージ器具。
【請求項５】
請求項１乃至請求項４のいずれか１項に記載した美顔用ローラマッサージ器具において、
前記略Ｙ字形の頭部の左右一対の分岐軸部の開き角度が１２０〜１４５度に設定されている美顔用ローラマッサージ器具。
【請求項６】
請求項４に記載した美顔用ローラマッサージ器具において、
前記略Ｙ字形の頭部の基部は、前記後端径小部を除いた部位が、その後端から先端に近付くほど漸次径小になる括れ部として形成されている美顔用ローラマッサージ器具。
【請求項７】
請求項６に記載した美顔用ローラマッサージ器具において、
前記括れ部の軸線が、その後端から先端にかけて前向き湾曲している美顔用ローラマッサージ器具。
【請求項８】
請求項６または請求項７に記載した美顔用ローラマッサージ器具において、
前記括れ部の後面に滑り止め用の凹凸部が形成されている美顔用ローラマッサージ器具。
【請求項９】
請求項４または請求項６に記載した美顔用ローラマッサージ器具において、
前記後端径小部に表面処理用懸垂ジグを掛脱可能に掛止する掛止孔が設けられている美顔用ローラマッサージ器具。
【考案の詳細な説明】
【技術分野】
【０００１】
本考案は、美顔用ローラマッサージ器具に係り、より詳しくは、頬、顎、喉、頸部などを含む顔の皮膚でローラを転動させることによる美顔マッサージ作用やリンパの流れを促進するリンパマッサージ作用およびマイナスイオンによる健康増進作用を期待することのできる美顔用ローラマッサージ器具に関する。
【背景技術】
【０００２】
使用者自身がローラを皮膚の上で転動させて皮膚をマッサージするタイプのローラ型マッサージ器具は従来より周知である。この種のローラ型マッサージ器具の分野では、まっすぐなロッド状の杆体の一端に１個のローラを回転自在に取り付けたものが従来より知られている。
【０００３】
また、先行例として、ローラに設けた電極に電圧を印加することによって身体に微弱電流を流したりするもの（たとえば、特許文献１参照）、ローラの外周複数箇所に叩打板を取り付けておいて、皮膚の上でローラを転動させるとそれらの叩打板が皮膚を叩いて刺激を増幅させるもの（たとえば、特許文献２参照）、ローラに収納させた蓄熱体の熱をそのローラの表面に設けた突起に伝えることによって皮膚に熱的刺激を与えるもの（たとえば、特許文献３参照）などが知られている。
【先行技術文献】
【特許文献】
【０００４】
【特許文献１】特開２００９−２４７６８４号公報
【特許文献２】特開２００８−２７８９１９号公報
【特許文献３】特開２０１０−３５７４３号公報
【考案の概要】
【考案が解決しようとする課題】
【０００５】
しかし、まっすぐなロッド状の杆体の一端に１個のローラを回転自在に取り付けただけの従来のローラ型マッサージ器具は、一般的に、１個のローラを顔の表面で転動させるという使用方法が採られるに過ぎないので、ローラを転動させることによってマッサージされる範囲が狭く、使用者にとって充実感のあるマッサージを行うことに関して難点があった。
【０００６】
また、上掲の各特許文献１〜３によって提案されているものは、皮膚を電気的に刺激したり、皮膚を叩打して刺激したり、皮膚を局部的に熱して刺激したりするものであり、使用者によっては、使用に違和感を感じて良好な使用感を得られないことがある。
【０００７】
そこで、本考案は、頬、顎、喉、頸部などを含む顔の皮膚で一度に２個のローラを転動させることにより、美顔マッサージ作用やリンパの流れを促進するリンパマッサージ作用およびマイナスイオンによる健康増進作用を期待することのできる美顔用ローラマッサージ器具を提供することを目的とする。
【課題を解決するための手段】
【０００８】
本考案に係る美顔用ローラマッサージ器具は、頬、顎、喉、頸部などを含む顔の皮膚で転動するローラと、このローラが回転自在に取り付けられた杆体と、を備えている。そして、前記杆体が、細長い把持柄と、この把持柄の先端部に配設した左右一対の分岐軸部を有する略Ｙ字形の頭部とを備え、前記左右一対の分岐軸部のそれぞれに前記ローラが装備されている。
【０００９】
これによれば、杆体の把持柄を把手として利用することが可能である。また、一対の分岐軸部に回転自在に取り付けられた２個のローラを頬、顎、喉、頸部などを含む顔の皮膚の２箇所で同時に転動させてマッサージすることができるので、優れた美顔マッサージ作用やびリンパの流れを促進する優れたリンパマッサージ作用を得ることができる。
【００１０】
本考案は、前記ローラが、ホルミシスイオンを放射する希土類元素を練り込んで成形された柔軟性を有するシリコン樹脂でなることが望ましい。ホルミシスイオンを発生する希土類元素は、人の身体に悪影響を及ぼさない程度の低レベルの放射線物質である。また、ホルミシスイオンは、特定の温泉地の温泉にも含まれていると云われていて、特定の入浴剤にも含有されている。そして、このホルミシスイオンは、人体の細胞に作用することにより、内臓脂肪症候群（メタボリックシンドローム）、癌、腎臓病、肝臓病、心臓病、膵臓病、心筋梗塞、脳梗塞、皮膚炎、リュウマチ、糖尿病、睡眠障害、低体温症、パーキンソン病といった多種多様な人の疾患の症状を改善することに役立つとされている。また、このホルミシスイオンの放射作用は永久に持続するとされている。したがって、本考案のように、ローラが、ホルミシスイオンを放射する希土類元素を練り込んで成形された柔軟性を有するシリコン樹脂でなる、という構成を採用することにより、ローラが皮膚で転動することによるマッサージ作用とともに、ホルミシスイオンの永久的な放射作用による健康増進作用が図られる。
【００１１】
本考案は、前記ローラそれぞれの軸線方向外端部に前記左右一対の分岐軸部の先端を隠蔽する化粧部材が装着されてなることが望ましい。これによると、化粧部材によって左右一対の分岐軸部の先端が隠蔽されて、該先端が目視不能になるとともに、目視可能な化粧部材の化粧作用によって美顔用ローラマッサージ器具の外観がよくなる。
【００１２】
本考案の略Ｙ字形の頭部は、前記左右一対の分岐軸部を先端部で収束した基部を備え、この基部の後端径小部が前記把持柄の先端部に分離可能に連結されてなることが望ましい。これによると、略Ｙ字形の頭部と把持柄とを各別に製造できるので、略Ｙ字形の頭部および把持柄の製造が容易になる。
【００１３】
本考案は、前記略Ｙ字形の頭部の左右一対の分岐軸部の開き角度が１２０〜１４５度に設定されていることが望ましい。一対の分岐軸部の開き角度が１２０〜１４５度に設定されていると、これら分岐軸部に回転自在に取り付けられている２個のローラで頬、顎、喉、頸部などを含む顔の皮膚の２箇所を同時に心地よくマッサージすることが可能である。前記開き角度が１２０度よりも小さいと、２個のローラと前記顔の皮膚の２箇所に対するフィット性が低下して、満足のいく使用感を得られなくなるおそれがある。前記開き角度が１４５度よりも大きいときにも同様の状況が起こり得る。
【００１４】
前記開き角度が１２０〜１４５度に設定されていることにより、美顔用ローラマッサージ器具を前進移動させて２個のローラを前記顔の皮膚で転動させることで、これらローラが接している部位の前側近傍の皮膚は、左右一対の分岐軸部それぞれの軸線に垂直、かつ前向きの寄せ集め方向に程よくに押され、各ローラとの接触後は、該接触部位の後側近傍の皮膚が、左右一対の分岐軸部それぞれの軸線に垂直、かつ後向きの引き離し方向に程よく引っ張られることになるので、優れた美顔マッサージ作用を得ることができる。
【００１５】
また、前記開き角度が１２０〜１４５度に設定されていることにより、美顔用ローラマッサージ器具を後退移動させて２個のローラを前記顔の皮膚で転動させることで、これらローラが接している部位の後側近傍の皮膚は、左右一対の分岐軸部それぞれの軸線に垂直、かつ後向きの引き離し方向に程よく引っ張られ、各ローラとの接触後は、該接触部位の前側近傍の皮膚が、左右一対の分岐軸部それぞれの軸線に垂直、かつ前向きの寄せ集め方向に程よく押されることになるので、リンパの流れを促進する優れたリンパマッサージ作用を得ることができる。
【００１６】
本考案の前記略Ｙ字形の頭部の基部は、前記後端径小部を除いた部位が、その後端から先端に近付くほど漸次径小になる括れ部として形成されていることが望ましい。これによると、括れ部として形成されている基部を、細長い把持柄を把持している手の親指や人指し指で軽く押さえることが容易になり、これにより美顔用ローラマッサージ器具把持状態の安定性を向上させて、２個のローラそれぞれのマッサージ作用の均等化を図ることが可能となる。
【００１７】
本考案は、前記括れ部の軸線が、その後端から先端にかけて前向き湾曲していることが望ましい。これによると、細長い把持柄を頬、顎、喉、頸部などを含む顔の皮膚と略平行に把持してマッサージすることが容易になるので、把持柄を顔の皮膚と非平行に把持してマッサージするする場合と比較して、各ローラによる前記顔の皮膚への押圧力の変動が抑制されるので、均等なマッサージ作用を得ることができる。
【００１８】
本考案は、前記括れ部の後面に滑り止め用の凹凸部が形成されていることが望ましい。これによると、括れ部として形成されている基部を、細長い把持柄を把持している手の親指や人指し指で軽く押さえた場合に、親指や人指し指が滑り止め用の凹凸部に軽くくいこむことで各指のスリップ防止作用が生じるので、美顔用ローラマッサージ器具把持状態の安定性をより一層向上させて、２個のローラそれぞれのマッサージ作用の均等化を図ることが可能となる。
【００１９】
本考案は、前記後端径小部に表面処理用懸垂ジグを掛脱可能に掛止する掛止孔が設けられていることが望ましい。これによると、掛止孔に表面処理用懸垂ジグを掛止することで、該表面処理用懸垂ジグによって基部および左右一対の分岐軸部を含む略Ｙ字形の頭部を安定した状態で懸垂することができるので、略Ｙ字形の頭部に、たとえばメッキなどの表面処理を施す場合の作業性を向上させることができるとともに、複雑な構造の表面処理用懸垂ジグが不要になる。
【考案の効果】
【００２０】
本考案に係る美顔用ローラマッサージ器具によれば、一対の分岐軸部に回転自在に取り付けられた２個のローラを頬、顎、喉、頸部などを含む顔の皮膚の２箇所で同時に転動させてマッサージすることができるので、優れた美顔マッサージ作用やびリンパの流れを促進する優れたリンパマッサージ作用を得ることができる。しかも、ローラが、ホルミシスイオンを放射する希土類元素を練り込んで成形された柔軟性を有するシリコン樹脂でなる、という構成を採用することにより、前記のマッサージ作用とともに、ホルミシスイオンの永久的な放射作用による健康増進作用が図られる。
【図面の簡単な説明】
【００２１】
【図１】本考案に係る美顔用ローラマッサージ器具の一実施形態を示す概略斜視図である。
【図２】図１の側面図である。
【図３】図１の平面図である。
【図４】ローラの取付構造を例示した拡大断面図である。
【図５】把持柄と略Ｙ字形の頭部との連結構造の一例を示す拡大断面図である。
【図６】把持柄と略Ｙ字形の頭部との連結構造の他の例を示す拡大断面図である。
【考案を実施するための形態】
【００２２】
図１は本考案に係る美顔用ローラマッサージ器具の一実施形態を示す概略斜視図、図２は図１の側面図、図３は図１の平面図、図４はローラの取付構造を例示した拡大断面図、図５は把持柄と略Ｙ字形の頭部との連結構造の一例を示す拡大断面図である。
【００２３】
図１〜図５において、美顔用ローラマッサージ器具Ａは、主として頬、顎、喉、頸部などを含む顔の皮膚をマッサージするためのもので、３方向に分岐した形状の杆体１に、平滑な外周面を有する２個のローラ２，３を回転自在に取り付けてなり、杆体１は、細長い有底筒体からなる把持柄４と、この把持柄４の先端開口部に後述する連結構造によって分離可能に連結された略Ｙ字形の頭部５とを備える。
【００２４】
把持柄４の先端開口部に雌ねじ４ａが形成され、略Ｙ字形の頭部５は、左右一対の分岐軸部６，７（図３参照）を先端部で収束した基部８を備え、一方の分岐軸部６に一方のローラ２が回転自在に取り付けられ、他方の分岐軸部７に他方のローラ３が回転自在に取り付けられる。そして、基部８の後端径小部８ａの外周に形成した雄ねじ８ｂを、スペースリング９を挟んで把持柄４の雌ねじ４ａに螺着する連結構造（図５参照）によって、把持柄４と略Ｙ字形の頭部５とが分離可能に連結される。また、左右一対の分岐軸部６，７の開き角度θ（図３参照）は１２０〜１４５度に設定され、分岐軸部６，７のそれぞれに各分岐軸部６，７と略同一長さのローラ２，３が回転自在に取り付けられており、各ローラ２，３は、ホルミシスイオンを放射する希土類元素を練り込んで成形された柔軟性を有するシリコン樹脂で形成されている。
【００２５】
略Ｙ字形の頭部５の基部８は、後端径小部８ａを除いた部位が、その後端から先端に近付くほど漸次径小になる括れ部８ｃとして形成されており、後端径小部８ａには、表面処理用懸垂ジグ（図示省略）を掛脱可能に掛止する掛止孔１０が設けられている。そして、括れ部８ｃの軸線Ｃは、その後端から先端にかけて前向き湾曲している。また、括れ部８ｃの後面に滑り止め用の凹凸部１１が形成されている。
【００２６】
ローラ２，３それぞれは、図４に示すように分岐軸部６の先端に設けたねじ孔６ａに装着ねじ１６の雄ねじ１６ａを螺着することによって分岐軸部６，７からローラ２，３が抜け落ちるのを阻止している。そして、ローラ２，３それぞれの軸線方向外端部には、左右一対の分岐軸部６，７の先端を隠蔽する化粧キャップ１２が装着され、分岐軸部６，７の先端を被覆している。
なお、図４において、１３，１４はベアリングを示し、これらベアリング１３，１４を介してローラ２が軸線方向にがたつかない状態で分岐軸部６，７に回転自在に支持されている。
【００２７】
前記構成の美顔用ローラマッサージ器具Ａによれば、杆体１の把持柄４は前記した如く、細長い有底筒体により形成され、その外表面の一部には窪み部１７，１７，１７が把持柄４の軸方向に３つ直列して形成され、杆体１の把持柄４を把手として利用することを容易にいている。
また、左右一対の分岐軸部６，７に回転自在に取り付けられた２個のローラ２，３を頬、顎、喉、頸部などを含む顔の皮膚の２箇所で同時に転動させてマッサージすることができるので、優れた美顔マッサージ作用やびリンパの流れを促進する優れたリンパマッサージ作用を得ることができる。
【００２８】
ローラ２，３が、ホルミシスイオンを放射する希土類元素を練り込んで成形された柔軟性を有するシリコン樹脂でなることにより、人体の細胞に作用して内臓脂肪症候群、癌、腎臓病、肝臓病、心臓病などの様々な疾患の症状を改善することに役立ち、しかも希土類元素による放射作用は永久に持続するとされている。したがって、ローラ２，３が顔の皮膚で転動することによるマッサージ作用とともに、ホルミシスイオンの永久的な放射による健康増進作用を図れる優れた効果を期待することができる。
【００２９】
ローラ２，３それぞれの軸線方向外端部に左右一対の分岐軸部６，７の先端を隠蔽する化粧ねじ１２が装着されているので、化粧ねじ１２によって左右一対の分岐軸部６，７の先端が隠蔽されて、該先端が目視不能になるとともに、目視可能な化粧ねじ１２の化粧作用によって美顔用ローラマッサージ器具Ａの外観がよくなる。
【００３０】
略Ｙ字形の頭部５は、左右一対の分岐軸部６，７を先端部で収束した基部８を備え、この基部８の後端径小部８ａに形成した雄ねじ８ｂを把持柄４の先端開口部に形成した雌ねじ４ａに分離可能に螺着した構造であるので、略Ｙ字形の頭部５と把持柄４とを各別に製造できるから両者４、５の製造が容易になる。
【００３１】
左右一対の分岐軸部６，７の開き角度が１２０〜１４５度に設定されていることにより、これら分岐軸部６，７に回転自在に取り付けられている２個のローラ２，３で頬、顎、喉、頸部などを含む顔の皮膚の２箇所を同時に心地よくマッサージすることが可能である。前記開き角度が１２０度よりも小さいと、２個のローラと前記顔の皮膚の２箇所に対するフィット性が低下して、満足のいく使用感を得られなくなるおそれがある。前記開き角度が１４５度よりも大きいときにも同様の状況が起こり得る。
【００３２】
前記開き角度が１２０〜１４５度に設定されていることにより、美顔用ローラマッサージ器具Ａを図３の矢印Ａ１方向に前進移動させて２個のローラ２，３を顔の皮膚で転動させることで、これらローラ２，３が接している部位の前側近傍の皮膚は、左右一対の分岐軸部６，７それぞれの軸線Ｃ１，Ｃ２に垂直、かつ前向き（図３の実線線矢印ｆ１参照）の寄せ集め方向に程よくに押され、各ローラ２，３との接触後は、該接触部位の後側近傍の皮膚が、左右一対の分岐軸部６，７それぞれの軸線に垂直、かつ後向き（図３の破線矢印ｆ２参照）の引き離し方向に程よく引っ張られることになるので、優れた美顔マッサージ作用を得ることができると共に、小顔形成作用も得ることができる。
【００３３】
開き角度が１２０〜１４５度に設定されていることにより、美顔用ローラマッサージ器具Ａを図３の矢印Ａ２方向に後退移動させて２個のローラ２，３を顔の皮膚で転動させることで、これらローラ２，３が接している部位の後側近傍の皮膚は、左右一対の分岐軸部６，７それぞれの軸線Ｃ１，Ｃ２に垂直、かつ後向き（図３の一点鎖線矢印ｆ３参照）の引き離し方向に程よく引っ張られ、各ローラ２，３との接触後は、該接触部位の前側近傍の皮膚が、左右一対の分岐軸部６，７それぞれの軸線Ｃ１，Ｃ２に垂直、かつ前向き（図３の二点鎖線矢印ｆ４参照）の寄せ集め方向に程よく押されることになるので、リンパの流れを促進する優れたリンパマッサージ作用を得ることができる。
【００３４】
略Ｙ字形の頭部５の基部８は、後端径小部８ａを除いた部位が、その後端から先端に近付くほど漸次径小になる括れ部８ｃとして形成されていることにより、細長い把持柄４を把持している手の親指や人指し指で軽く押さえることが容易になり、これにより美顔用ローラマッサージ器具Ａ把持状態の安定性を向上させて、２個のローラ２，３それぞれのマッサージ作用の均等化を図ることが可能となる。
【００３５】
括れ部８ｃの軸線Ｃが、その後端から先端にかけて前向き湾曲していることにより、細長い把持柄４を頬、顎、喉、頸部などを含む顔の皮膚と略平行に把持してマッサージすることが容易になるので、把持柄４を顔の皮膚と非平行に把持してマッサージするする場合と比較して、各ローラ２，３による顔の皮膚への押圧力の変動が抑制されるので、均等なマッサージ作用を得ることができる。
【００３６】
括れ部８ｃの後面に滑り止め用の凹凸部１１が形成されていることにより、括れ部８ｃとして形成されている基部８を、細長い把持柄４を把持している手の親指や人指し指で軽く押さえた場合に、親指や人指し指が滑り止め用の凹凸部１１に軽くくいこむことで各指のスリップ防止作用が生じるので、美顔用ローラマッサージ器具Ａ把持状態の安定性をより一層向上させて、２個のローラ２，３それぞれのマッサージ作用の均等化を図ることが可能となる。
【００３７】
一方、略Ｙ字形の頭部５における基部８の後端径小部に表面処理用懸垂ジグを掛脱可能に掛止する掛止孔１０が設けられていることにとり、該掛止孔１０に表面処理用懸垂ジグ（図示省略）を掛止することで、この表面処理用懸垂ジグによって基部８および左右一対の分岐軸部６，７を含む略Ｙ字形の頭部５を懸垂することができるので、略Ｙ字形の頭部５に、たとえばメッキなどの表面処理を施す場合の作業性を向上させることができるとともに、複雑な構造の表面処理用懸垂ジグが不要になる。
【００３８】
図６は把持柄４と略Ｙ字形の頭部５との連結構造の他の例を示す断面図である。なお、図５の連結構造と同一部分には、同一符号を付して重複する説明は省略するある。
【００３９】
図６に示す連結構造は、把持柄４の先端開口部近傍の内周に環状の溝４ｂを形成し、略Ｙ字形の頭部５の後端径小部８ａの外周に環状の溝８ｄを形成する。そしてし、環状の溝８ｄに欠円構造のバネ線１５を外嵌させて、その外周部を自然状態で該環状の溝８ｄより僅かに突出させる。したがって、後端径小部８ａを、スペースリング９を挟んで把持柄４の先端開口部に差し込むことで、差し込み初期状態で先端開口部の内面に干渉して一旦縮径された欠円構造のバネ線１５が、環状の溝４ｂに到達することで弾性復帰により拡径して環状の溝４ｂに嵌合されることにより、把持柄４と略Ｙ字形の頭部５とが分離可能に連結される。このように構成された連結構造であれば、把持柄４の表面に表示されている社名や商標などに相当する文字あるいは図形などを目視しやすい把持柄４の後面に位置決めして把持柄４と略Ｙ字形の頭部５とを連結することが容易になる。
【符号の説明】
【００４０】
Ａ  ローラ型マッサージ器具
１  杆体
２  ローラ
３  ローラ
４  把持柄
５  略Ｙ字形の頭部
６  分岐軸部
７  分岐軸部
８  基部
８ａ  後端径小部
８ｃ  括れ部
１０  掛止孔
１１  滑り止め用の凹凸部
１２  化粧ねじ（化粧部材）
Ｃ  括れ部の軸線
θ  一対の分岐軸部の開き角度
【図１】
0003164829.tif 000003
【図２】
0003164829.tif 000004
【図３】
0003164829.tif 000005
【図４】
0003164829.tif 000006
【図５】
0003164829.tif 000007
【図６】
0003164829.tif 000008